(57)【要約】【課題】便器内から不要水の落下音および跳水を発生させず、使用者に耳障りな音を与えず、かつお尻に跳水がかからないようにする。【解決手段】捨て水処理部２０の水抜孔１３の前部および左右部に上方へ形成される上向垂直壁１４と下方へ形成される下向垂直壁１５を設けるとともに、水抜孔１３の後部に下方へ形成される第二下向垂直壁１６を設けることにより、便器リム面２１に不要水ｄを当て、この不要水ｄを分散させ便器１７内の溜水部ｅに水塊として落下させないため、便器１７内から不要水ｄの落下音および跳水ｃが発生せず、使用者に耳障りな音を与えず、かつお尻に跳水ｃがかからないようにすることができる。【選択図】　図４
2004108076.tif 000002
【特許請求の範囲】
【請求項１】
便器と、人体局部を洗浄する洗浄ノズルと、前記洗浄ノズルに適量の水を供給し不要となった不要水を排出する水量調節部と、前記不要水を前記便器内に捨てる捨て水通路と、前記捨て水通路の末端に位置する捨て水処理部と、前記洗浄ノズル、前記捨て水通路、前記捨て水処理部を置く基板とを備え、前記捨て水処理部は前記基板の前記便器内に臨む部分に水抜孔を設け、前記水抜孔の前部および左右部に上方へ形成される上向垂直壁と、前記水抜孔の前部および左右部に下方へ形成される第一下向垂直壁を設けるとともに、前記水抜孔の後部に下方へ形成される第二下向垂直壁を設けたトイレ装置。
【請求項２】
上向垂直壁は捨て水通路上部より高く形成される請求項１に記載のトイレ装置。
【請求項３】
第一下向垂直壁は便器上面より低い位置まで形成される請求項１または２に記載のトイレ装置。
【請求項４】
第二下向垂直壁は便器上面より低い位置まで形成される請求項１〜３のいずれか１項に記載のトイレ装置。
【請求項５】
下向垂直壁の下部に水抜孔の前部を部分的に覆う水平壁を設けた請求項１〜４いずれか１項に記載のトイレ装置。
【請求項６】
捨て水通路は筒形状とした請求項１〜５いずれか１項に記載のトイレ装置。
【請求項７】
捨て水通路は可とう性のあるホースとした請求項１〜６いずれか１項に記載のトイレ装置。
【請求項８】
ホースの末端部は水抜孔の上方にある支持壁で固定させる請求項７に記載のトイレ装置。
【発明の詳細な説明】
【０００１】
【発明の属する技術分野】
本発明は、人体局部を洗浄する洗浄手段を備えた、トイレ装置に関するものである。
【０００２】
【従来の技術】
従来、この種のトイレ装置としては、図６、図７に記載されているようなものがあった。図６において、熱交部１に適量の水を供給する水量調節部２から供給過剰となった不要水ａは基板３に形成された通水溝４を流れ、基板３の前部の水抜孔５から便器６内の溜水部ｂに捨てられていた。また、図７のように、通水路をホース７としその末端を基板３の水抜孔５に臨ませ不要水ａを便器６内の溜水部ｂに捨てるものもあった。
【０００３】
【発明が解決しようとする課題】
しかしながら、前記従来の構成では、図６、図７いずれの場合も、不要水ａは水抜孔５から便器６内の溜水部ｂに直接水塊とし落下し、そのとき、不要水ａの落下音および跳水ｃが発生し、使用者に耳障りな音を与えてしまうとともに、お尻にこの跳水ｃがかかるという課題を有していた。
【０００４】
本発明は、上記従来の課題を解決するもので、便器内から不要水の落下音および跳水を発生させず、使用者に耳障りな音を与えず、かつお尻に跳水がかからないことを目的とする。
【０００５】
【課題を解決するための手段】
前記従来の課題を解決するために、本発明のトイレ装置は、洗浄ノズルに適量の水を供給し不要となった不要水を排出する水量調節部と、前記不要水を前記便器内に捨てる捨て水通路と、前記捨て水通路の末端に位置する捨て水処理部と、前記洗浄ノズル、前記捨て水通路、前記捨て水処理部を置く基板とを備え、前記捨て水処理部は前記基板の前記便器内に臨む部分に水抜孔を設け、前記水抜孔の前部および左右部に上方へ形成される上向垂直壁と、前記水抜孔の前部および左右部に下方へ形成される第一下向垂直壁を設けるとともに、前記水抜孔の後部に下方へ形成される第二下向垂直壁を設けたものである。
【０００６】
【発明の実施の形態】
第１項記載の発明は、水抜孔の前部と左右部に上方へ形成される上向垂直壁と、前記水抜孔の前部と左右部に下方へ形成される第一下向垂直壁を設けるとともに、前記水抜孔の後部に下方へ形成される第二下向垂直壁を設けることにより、不要水は水抜孔の前部の上向垂直壁および水抜孔の前部の下向垂直壁に当たり、その後便器リム面に当たり分散されるため、便器内の溜水部に直接水塊として落下することがない。従って、落下音、跳水が発生せず、使用者に耳障りな音を与えず、お尻に跳水がかかることがない。
【０００７】
請求項２記載の発明は、上向垂直壁を捨て水通路より高く形成させることにより、不要水が多く勢いよく捨て水通路より排出された場合でも上方からの溢れがなく確実に不要水を水抜孔に流すことができる。
【０００８】
請求項３記載の発明は、下向垂直壁を便器上面より低い位置まで形成することにより、不要水が基板より前側へ飛び散ることがなく確実に不要水を第二下向垂直壁に導くことができる。
【０００９】
請求項４記載の発明は、第二下向垂直壁を便器上面より低い位置まで形成することにより、不要水が便器上面にまわり込むことがなく便器上面からの水漏れがないとともに、確実に便器リム面に不要水を当てることができる。
【００１０】
請求項５記載の発明は、下向垂直壁の下部に水抜孔の前部を部分的に覆う水平壁を設けることにより、不要水が少なく勢いが弱く捨て水通路より排出された場合でも水平壁に沿い第二下向垂直壁にこの不要水を導くことができる。
【００１１】
請求項６記載の発明は、捨て水通路を筒形状とすることにより、斜め設置などの非定常設置時に不要水が溢れることがなく請求項１記載の実施形態が満足できる。
【００１２】
請求項７記載の発明は、捨て水通路を可とう性のあるホースとすることにより、洗浄ノズル、熱交部等の部品が複雑化し、捨て水通路が形成できない場合でも各部品の隙間等を利用し、この捨て水通路が確保でき請求項１記載の実施形態を満足できる。
【００１３】
請求項８記載の発明は、ホースの末端部を水抜孔の上方にある支持壁で固定することにより、ホースの跳ね上がり防止、およびこの支持壁の形状設定でホース末端部の角度、扁平率の調節ができるため不要水の排出量の微調整ができる。
【００１４】
【実施例】
以下、本発明の実施の形態について、図面を参照しながら説明する。
【００１５】
（実施例１）
図１は、本発明の第１の実施例におけるトイレ装置の捨て水通路、捨て水処理部の構成を示すものであり、図２は同トイレ装置の捨て水処理部の一部破断図であり、図３は同トイレ装置の捨て水通路、捨て水処理部の断面図を示すもり、図４は同トイレ装置の不要水の流路図であり、図５は同トイレ装置の外観斜視図である。
【００１６】
図１〜図４において、洗浄ノズル７に温水を供給する熱交部８に供給過剰となった不要水ｄは水量調節部９から捨て水通路１０を成す可とう性のあるホース１１内を通り、裏板１２の前部の水抜孔１３へ流れる。この水抜孔１３の前部と左右部には上方へ形成される上向垂直壁１４と下方へ形成される下向垂直壁１５があり、さらに水抜孔１３の後部に下方へ形成される第二下向垂直壁１６がある。そして、上向垂直壁１４はホース１１の上部より高く、下向垂直壁１５と第二下向垂直壁１６は便器１７上面より低い位置まで形成されている。この時、下向垂直壁１５の下部には水抜孔１３の前部を略半分覆う水平壁１８があり、ホース１１の末端部は水抜孔１３の上方にある支持壁１９で固定されている。以上の裏板１２、水抜孔１３、上向垂直壁１４、下向垂直壁１５、第二下向垂直壁１６、水平壁１８、支持壁１９にて不要水ｄを排出する捨て水処理部２０を構成している。２１は便器リム面であり、ｅは便器１７内の溜水部である。
【００１７】
以上のように構成されたトイレ装置において、水抜孔１３の前部と左右部に上方へ形成される上向垂直壁１４と、水抜孔１３の前部と左右部に下方へ形成される下向垂直壁１５を設けるとともに、水抜孔１３の後部に下方へ形成される第二下向垂直壁１６を設けることにより、捨て水通路１０から出た不要水ｄは上向垂直壁１４および下向垂直壁１５に当たり跳ね返り、その後、第二下向垂直壁１６に沿いながら水抜孔１３から排出され、便器リム面２１に当たるため、この不要水ｄは分散状態となり、便器１７内の溜水部ｅに直接水塊として落下することがない。この結果、不要水ｄの落下音、跳水が発生せず、使用者に耳障りな音を与えず、お尻に跳水ｃがかかるということがなくなる。また、上向垂直壁１４を捨て水通路１０より高く形成することにより、不要水ｄが多く勢いよく捨て水通路１０より排出された場合でも上方からの溢れがなく、確実にこの不要水ｄを水抜孔１３に流すことができる。また、下向垂直壁１５を便器１７上面より低い位置まで形成することにより、不要水ｄが基板１２より前側へ飛び散ることがなく確実にこの不要水ｄを第二下向垂直壁１６に導くことができる。また、第二下向垂直壁１６を便器１７上面より低い位置まで形成することにより、不要水ｄが便器１７上面にまわり込むことがなく、便器１７上面からの水漏れがないとともに、便器リム面２１に確実に不要水ｄを当てることができる。また、下向垂直壁１５の下部に水抜孔１３の前部を略半分覆う水平壁１８を設けることにより、不要水ｄが少なく勢いが弱く捨て水通路１０より排出され、跳ね返りが少ない場合でも水平壁１８に沿い第二下向垂直壁１６にこの不要水ｄを導くことができる。また、捨て水通路１０を筒形状とすることにより、斜め設置などの非定常設置時に不要水ｄが溢れることなく、不要水ｄの落下音、跳水の発生を抑えることができる。また、捨て水通路１０を可とう性のあるホース１１とすることにより、洗浄ノズル７、熱交部８等の部品が複雑化し、捨て水通路１０が形成し難い場合でも、各部品の隙間等を利用し、この捨て水通路１０を容易に確保しつつ、不要水ｄの落下音、跳水ｃの発生を抑えることができる。また、ホース１１の末端部を水抜孔１３の上方にある支持壁１９で固定することにより、この支持壁１９の形状設定でホース１１の末端部の角度、扁平率の調節ができるため、不要水ｄの排出量の微調整ができる。
【００１８】
【発明の効果】
以上のように、本発明によれば、便器内から不要水の落下音および跳水を発生させず、使用者に耳障りな音を与えず、かつお尻に跳水がかからないという有利な効果を有する。
【図面の簡単な説明】
【図１】本発明の実施例１におけるトイレ装置の捨て水通路、捨て水処理部の構成図
【図２】同トイレ装置の捨て水処理部の一部破断図
【図３】同トイレ装置の捨て水通路、捨て水処理部の断面図
【図４】同トイレ装置の不要水の流路図
【図５】同トイレ装置の外観斜視図
【図６】従来のトイレ装置の斜視図
【図７】従来の他のトイレ装置の斜視図
【符号の説明】
７　洗浄ノズル
９　水量調整部
１０　捨て水通路
１１　ホース
１２　裏板（基盤）
１３　水抜孔
１４　上向垂直壁
１５　下向垂直壁
１６　第二下向垂直壁
１７　便器
１８　水平壁
１９　支持壁
２０　捨て水処理部
ｄ　不要水
ｅ　溜水部
【図１】
2004108076.tif 000003
【図２】
2004108076.tif 000004
【図３】
2004108076.tif 000005
【図４】
2004108076.tif 000006
【図５】
2004108076.tif 000007
【図６】
2004108076.tif 000008
【図７】
2004108076.tif 000009